(57)【要約】【課題】捕獲した害虫を逃がすことがない害虫捕獲器を提供する。【解決手段】誘引する光源２が設けられたフード１ｃを上部に有する筐体１ａの内部に縦方向に設置された筒状ケース７ｂと、光源に誘引された害虫を空気とともに筒状ケース内に吸引する吸引手段４と、吸引手段より排出された空気中より害虫を捕獲する通気性を有する捕虫袋１０と、光源及び吸引手段をオン、オフするスイッチ手段８と、筒状ケースの上面開口部に設けられ、かつ吸引手段がオンのときに開放され、オフのときに閉鎖されるシャッタ手段７とから構成したもので、光吸引手段をオフにすることにより、いままで開放状態にあったシャッタ手段により筒状ケースの上面開口が閉鎖されるため、捕虫袋を交換する際、捕獲した害虫のうち生存している害虫が吸引手段側へ逃げ出すのを確実に防止することができる。【選択図】図２
2009022236.tif 000002
【特許請求の範囲】
【請求項１】
開口部と、その近傍に害虫を誘引する光源が設けられたフードを上部に有する筐体と、前記筐体の内部に縦方向に設置された筒状ケースと、前記筒状ケースの上方に設置され、かつ前記光源に誘引された害虫を前記開口部より流入する空気とともに前記筒状ケース内に吸引する吸引手段と、前記筒状ケースの下部に着脱自在に取り付けられ、かつ前記吸引手段より排出された空気中より害虫を捕獲する通気性を有する捕虫袋と、前記光源及び吸引手段をオン、オフするスイッチ手段と、前記筒状ケースの上面開口部に設けられ、かつ前記吸引手段がオンのときに開放され、オフのときに閉鎖されるシャッタ手段とを具備したことを特徴とする害虫捕獲器。
【請求項２】
前記スイッチ手段により前記光源及び前記吸引手段を同時にオン、オフできるようになし、また前記スイッチ手段により前記光源及び前記吸引手段をオンしたときに前記シャッタ手段が開放され、前記光源及び前記吸引手段をオフにしたときに前記シャッタ手段が閉鎖されるように前記光源及び前記吸引手段のオン、オフと前記シャッタ手段の開閉を連動させてなる請求項１に記載の害虫捕獲器。
【請求項３】
前記フードと前記筐体の間に、前記筐体の両側より前記吸引手段側へ順次低くなるよう傾斜する傾斜面からなるホッパを形成し、また前記ホッパの上方に、前記傾斜面の高位置側が広く、かつ前記吸引手段側が順次狭くなるように間隔を設定した整流板を設けてなる請求項１または２に記載の害虫捕獲器。
【請求項４】
前記筐体の底面に、前記捕虫袋を通過した空気を排出する排気口を開口すると共に、前記排気口にフィルタを着脱自在に取り付けてなる請求項１ないし３の何れかに記載の害虫捕獲器。
【発明の詳細な説明】
【技術分野】
【０００１】
本発明は光源に害虫を誘引して、吸引手段により効率よく捕獲する害虫捕獲器に関する。
【背景技術】
【０００２】
蝿や蚊、蛾、羽アリ等の害虫は不快害虫として嫌われており、これら害虫が例えば食品加工所や飲食店、工場、量販店、コンビニ等の施設に侵入すると不衛生なばかりか、製品等に混入した場合、返品や不良品の原因となると共に、食品加工所等の場合は、たとえ１個の製品に害虫が混入しても、同じロットで生産した製品の全てを回収する事態が生じ、経済的に大きな損失となる問題がある。
このためこれらの施設では、建屋を密閉して外部から屋内へ害虫が侵入するのを防止する等の対策を講じているが、光に集まる習性のある害虫の場合、建屋を密閉構造にしても、僅かな隙間から光に誘引されて屋内へ侵入することがあり、また建屋へ人が出入りする際、人に付着して屋内へ侵入することがよくある。
【０００３】
また屋内に一旦侵入した害虫は、殺虫剤等を使用して駆除することになるが、食品加工場や飲食店、コンビニ等のように主に食品を扱う施設では、殺虫剤を使用して害虫を駆除することはできない問題がある。
一方光源に害虫を誘引し、ファンのような吸引手段で吸引して捕獲する害虫捕獲器が例えば特許文献１で提案されている。
前記特許文献１に記載の捕虫機能付照明装置は、建屋の外に設置した外灯や玄関灯、庭園灯等の光源に集まる害虫を回転ファンで捕集袋内へ吸引して、害虫を捕獲するようにしたもので、屋外照明器具としての機能を損なうことなく、光に集まる害虫を捕獲できる等の効果を有している。
【特許文献１】特開２００１−１５５５０９号公報
【発明の開示】
【発明が解決しようとする課題】
【０００４】
しかし前記特許文献１に記載の捕虫機能付照明器具では、回転ファンにより捕集袋内に吸引した害虫が捕集袋内にある程度溜ったら、回転ファンを停止した後ケーシングより捕集袋を取り外して廃棄等の処理を行うため、捕集袋内に捕獲された害虫の中に一部が生存していた場合、回転ファンを停止して吸引力がなくなると、捕集袋内に捕獲した害虫うち生存している害虫が捕虫袋より逃げ出すことがある。
前記特許文献１のように屋外へ設置した照明器具の場合は、捕獲した害虫の一部が逃げ出しても余り問題にはならないが、屋内に侵入した害虫を捕獲する害虫捕獲器の場合、捕集袋から逃げ出した害虫を再び捕獲するのが困難であったり、捕獲に時間がかかるため、前記特許文献１のような害虫捕獲器は、主に食品を取り扱う施設には採用できない問題がある。
【０００５】
また照明器具の光源が前記特許文献１のように電球の場合は、電球周辺の狭い範囲の空気を吸引するだけで光に集まる害虫の捕獲は可能であるが、蛍光灯のような長尺な光源を使用した場合、光源の両端側に集まった害虫は吸引することができないため、捕獲効率が悪い等の問題もある。
本発明はかかる問題を改善するためになされたもので、捕獲した害虫を逃がすことがない害虫捕獲器を提供することを目的とするものである。
【課題を解決するための手段】
【０００６】
本発明の害虫捕獲器は、開口部と、その近傍に害虫を誘引する光源が設けられたフードを上部に有する筐体と、筐体の内部に縦方向に設置された筒状ケースと、筒状ケースの上方に設置され、かつ光源に誘引された害虫を開口部より流入する空気とともに筒状ケース内に吸引する吸引手段と、筒状ケースの下部に着脱自在に取り付けられ、かつ吸引手段より排出された空気中より害虫を捕獲する通気性を有する捕虫袋と、光源及び吸引手段をオン、オフするスイッチ手段と、筒状ケースの上面開口部に設けられ、かつ吸引手段がオンのときに開放され、オフのときに閉鎖されるシャッタ手段とから構成したものである。
【０００７】
前記構成により、吸引手段により空気とともに吸引された害虫は、筒状ケース内を通って捕虫袋内へと排出されて捕獲されるため、光源に誘引された害虫を効率よく捕獲することができる。
また捕虫袋に捕獲された害虫を廃棄処理する場合は、光吸引手段をオフにすることにより、いままで開放状態にあったシャッタにより筒状ケースの上面開口が閉鎖されるため、吸引手段が吸引力を失っても吸引手段側へ害虫が逃げ出すのをシャッタにより阻止することができ、これによって捕虫袋内に捕獲した害虫うち生存している害虫がいても、捕虫袋内より逃げ出すのを確実に防止することができる。
【０００８】
本発明の害虫捕獲器は、スイッチ手段により光源及び吸引手段を同時にオン、オフできるようになし、またスイッチ手段により光源及び吸引手段をオンしたときにシャッタ手段が開放され、光源及び吸引手段をオフにしたときにシャッタ手段が閉鎖されるように光源及び吸引手段のオン、オフとシャッタ手段の開閉を連動させたものである。
【０００９】
前記構成により、スイッチ手段のオン、オフ操作のみで光源や吸引手段のオン、オフ及びシャッタの開閉操作が行えるため操作性が大変よいと共に、スイッチ手段をオフにすることによりシャッタが自動的に閉鎖されるため、シャッタを開放したまま捕虫袋を交換する等のミスを未然に防止することができる。
【００１０】
本発明の害虫捕獲器は、フードと筐体の間に、筐体の両側より吸引手段側へ順次低くなるよう傾斜する傾斜面からなるホッパを形成し、またホッパの上方に、傾斜面の高位置側が広く、かつ吸引手段側が順次狭くなるように間隔を設定した整流板を設けたものである。
【００１１】
前記構成により、フード内へ吸引された空気は、筐体の上部に設けられた傾斜面と、その上方に設けられた整流板の整流作用により増速されて吸引手段へと吸入されるため、光源に長尺な蛍光灯を使用していても、蛍光灯の中央付近から両端付近までほぼ均一に周辺の空気を吸引することが可能となり、これによって光源に誘引された害虫をさらに効率よく捕獲することができる。
【００１２】
本発明の害虫捕獲器は、筐体の底面に、捕虫袋を通過した空気を排出する排気口を開口すると共に、排気口にフィルタを着脱自在に取り付けたものである。
【００１３】
前記構成により、捕虫袋を取り外す際捕虫袋より害虫の死骸の一部が落下しても、排気口に設けたフィルタより捕捉することができるため、捕獲した害虫が本体外へ排出されることがない上、捕虫袋を交換する際フィルタも同時に清掃することにより、常に清潔な状態を維持することができる。
【発明の効果】
【００１４】
本発明の害虫捕獲器によれば、捕虫袋に捕獲された害虫を廃棄処理する場合に、吸引手段をオフにすることにより、いままで開放状態にあったシャッタにより筒状ケースの上面開口が閉鎖されるため、吸引手段が吸引力を失っても吸引手段側へ害虫が逃げ出すのをシャッタにより阻止することができ、これによって捕虫袋内に捕獲した害虫うち生存している害虫がいても、捕虫袋内より逃げ出すのを確実に防止することができる。
【発明を実施するための最良の形態】
【００１５】
本発明の実施の形態を、図面を参照して詳述する。
図１は害虫捕獲器の斜視図、図２は一部を破断した状態の斜視図、図３は正面図、図４は図３のＡ−Ａ線に沿う断面図、図５は図３のＢ−Ｂ線に沿う断面図、図６は据え置き型として使用した状態の斜視図である。
図１に示す害虫捕獲器の本体１は、前後方向に扁平な長方体状の筺体１ａを有しており、筺体１ａの上部には、斜め前方に開口部１ｂを有するフード１ｃが筺体１ａと一体に設けられている。
フード１ｃの上部はほぼ山形に形成されていて、前面側が開口部１ｂとなっており、背面側は傾斜面１ｄとなっていて、この傾斜面１ｄの内側、すなわち開口部１ｂから見える位置に光源２が取り付けられている。
【００１６】
光源２は、害虫が好む波長、例えば３００〜４００ｎｍに光波長成分のピークを持つ誘引光を放射する例えば２本の蛍光灯からなり、上下に離間して互に平行するよう傾斜面１ｄの内側に取り付けられており、長期間点灯したため誘引効果が低下したり、光源としての寿命に達した場合は、開口部１ｂ側から簡単に交換できるようになっている。
筺体１ａの上部とフード１ｂの連結部分には、筺体１ａの上面開口を覆うようにしてホッパ３が形成されている。
ホッパ３は図２に示すように、筺体１ａの両側がわが高く、中央部側が傾く傾斜する傾斜面３ａと、中央部に形成された平坦面３ｂとからなり、平坦面３ｂの中央に吸引手段４のケーシング４ａの内径とほぼ等しい円孔よりなる吸込み口３ｃが開口されており、ホッパ３の各傾斜面３ａの上方には、一対の整流板３ｄが設けられている。
【００１７】
整流板３ｄは図３に示すように、傾斜面３ａの高位置側と整流板３ｄの上端側との間隔が広く、かつ傾斜面３ａの低位置側、すなわち吸入手段４側と整流板３ｄの下端側の間隔が狭くなるように両者間の間隔が設定されており、各整流板３ｄの下端部は、吸込み口３ｃの上方において左右方向に間隔を存して対向されている。
そして吸引手段が吸引を開始すると、フード１ｃの開口部１ｂより吸入された空気の流れを整流して、光源２の中央部及び両端側周辺の空気をほぼ均一に吸引できるようになっている。
【００１８】
吸引手段４は電動ファンより構成されていて、図４に示すように筒状のケーシング４ａを有しており、このケーシング４ａの上部がホッパ３の平坦面３ｂの下面にビス等の固着具５で固着されている。
ケーシング４ａの上面には、吸込み口３ｃより指などが入らないよう吸込み口３ｃ全面を覆うように保護網６が取り付けられていると共に、ケーシング４ａの中心部には、電動モータ４ｂが設置されていて、ケーシング４ａの内周と電動モータ４ｂの外周面との間に、電動モータ４ｂにより回転されるファン４ｃが設けられている。
【００１９】
またケーシング４ａの下端側に、シャッタ手段７が接続されている。
シャッタ手段７は、上端部に支持部７ａが形成された筒状ケース７ｂを有していて、筒状ケース７ｂの支持部７ａがケーシング４ａを平坦面３ｂの下面に固着している固着具５によりケーシング４ａの下面に共締めされており、筒状ケース７ｂ内に円板状のシャッタ７ｃが設けられている。
シャッタ７ｃは、筒状ケース７ｂの内径より僅かに小さい外径を有していて、下面に半径方向に離間するよう一対のブラケット７ｄが突設されている。
各ブラケット７ｄには、シャッタ７ｃの中心を通るように回転軸７ｅが水平方向に貫通されていて、ブラケット７ｄに螺挿された止ねじ７ｆにより回転軸７ｅとシャッタ７ｃが一体に回動するようになっている。
【００２０】
回転軸７ｅの両端側は筒状ケース７ｂに穿設された軸孔（図示せず）より筒状ケース７ｂの外側へ突出されていて、軸孔の外側に突設された軸受け７ｇに回動自在に支承されており、筒状ケース７ｂの内周面には、シャッタ７ｃが水平位置に回動されて、筒状ケース７ｂ内を全閉した状態になったときにシャッタ７ｃに当接して、それ以上シャッタ７ｃが回動するのを阻止するストッパ７ｈが突設されている。
筒状ケース７ｂの外側に突出された回転軸７ｅの一方の端部は、筺体１ａの内側面に設置されたスイッチ手段８のスイッチ板８ａの上部に回動自在に支承されている。
【００２１】
スイッチ手段８は、光源２の点滅と、これに連動させて吸引手段４のオン、オフを行うもので、引き紐８ｂを下方へ引っ張ることによりオン、オフ動作するスイッチ８ｃがスイッチ板８ａの下部側に取り付けられている。
スイッチ８ｃには、先端部に摘み８ｄが設けられた引き紐８ｂを引っ張ってスイッチ８ｃをオンにすると下降し、オフにすると上昇する作動片８ｅが上方に向けて突出されていて、この作動片８ｅの先端にワイヤ８ｆの一端が結着されている。
ワイヤ８ｆの他端側は、回転軸７ｅの端部に固着されたプーリ８ｇを迂回された後コイルばねよりなる引張りばね８ｈの一端に結着され、引張りばね８ｈの他端はビス８ｉによりスイッチ板８ａに係止されている。
【００２２】
一方シャッタ手段７の筒状ケース７ｂの下端は、筐体１ａ内のほぼ中間付近に達していて、下端側の外周面に環状の係止溝７ｊが凹設されており、筒状ケース７ｂの下端側外周に捕虫袋１０の開口部を取り付けた状態で、輪ゴム等の係止手段１１を図４に示すようにして係止溝７ｊに係合することにより、捕虫袋１０の内側から風圧を受けても捕虫袋１０がずり落ちないようになっている。
捕虫袋１０は、吸引手段４が吸い込んだ害虫を捕獲するもので、小さな害虫が通り抜けられないよう目の細かい網体や不織布等の通気性を有する素材により袋状に形成されており、開口部１０ａの径は、筒状ケース７ｂの外径よりやや大きくなっていて、筒状ケース７ｂの下端に容易に取り付けられるようになっている。
【００２３】
また筐体１ａの前面には、捕虫袋１０を脱着する際開閉する扉１２が、そして筐体１ａの底面には吸引手段４が吸引した空気を外部へ排出する排出口１ｆが開口されている。
扉１２は一端側がヒンジ１２ａにより筐体１ａの前面に枢着されていて、扉１２の他端側に設けられた把手１２ｂを手前へ引くことにより、ヒンジ１２ａを中心に扉１２が開閉できるようになっており、扉１２の開放側と筐体１ａの内側には、扉１２を閉位置にロックするキャッチ１３が設けられている。
吸引手段４により筐体１ａ内に吸引され、捕虫袋１０を通過した空気を排出する排出口１ｆには、網体よりなるフィルタ１４が着脱自在に取り付けられており、筐体１ａの後面には、害虫捕獲器を壁に掛けて使用する際、壁１６に取り付ける壁掛け孔（図示せず）が複数個形成されている。
【００２４】
次に前記害虫捕獲器の作用を説明すると、害虫捕獲器の設置場所としては、一般家庭の室内や食品加工場や工場、飲食店、コンビニ等、食品や製品に害虫が混入しては困る場所、人に不快感を与えては困る場所等が適しているが、設置する場所に特に制限はなく、屋外やビニールハウス等の施設に設置しても勿論よい。
害虫捕獲器を屋内に設置するに当たっては、天井に設置された照明器具に集まる害虫が効率よく捕獲できるように、本体１の上部に設けた光源２が図４に示すように天井付近となるように筐体１ａを壁１６当接させて、図示しない固着具により本体１を壁１６に取り付ける。
【００２５】
本体１の取付が完了したら、筐体１ａ前面の扉１２を開放して、予め用意した捕虫袋１０の開口部を筒状ケース７ｂの下端側外周に嵌装し、開口部の外周をゴム輪等の係止手段１１で筒状ケース７ｂの外周面に係止するが、このとき係止手段１１を筒状ケース７ｂの外周面に形成された係止溝７ｊに嵌入することにより、風圧が捕虫袋１０の内側から下方向へ作用しても捕虫袋１０がずれ落ちるのを防止することができる。
【００２６】
捕虫袋の取付が完了したら、扉１２を開放した状態でスイッチ手段８の引き紐８ｂを下方へ引くと、スイッチ８ｃがオンとなって光源２が点灯されると同時に吸引手段４の電動モータ４ｂが回転を開始する。
また引き紐８ｂを下方に引くことによってスイッチ８ｃの作動片８ｅが下降されるため、作動片８ｅに結着されたワイヤ８ｆが下方へ引かれて、ワイヤ８ｆの捲装されたプーリ８ｇが回転し、これによって回転軸７ｅが回動されるため、いままで閉鎖状態にあったシャッタ７ｃが図４に示すようにほぼ９０度回動されて、筒状ケース７ｂの上面開口を開放するので、この状態で扉１２を閉鎖して使用に供する。
【００２７】
一方電動モータ４ｂによりファン４ｃが回転されることにより、吸引手段４によって光源２周辺の空気が筒状ケース７ｂ内へ吸引されるため、フード１ｃの開口部１ｂから天井付近の空気がフード１ｃ内へ図４の矢印Ｃに示すように吸引される。
フード１ｃ内へ吸引された空気は、筐体１ａの上部に設けられた傾斜面３ａと、その上方に設けられた整流板３ｃの整流作用により増速されて吸引手段４へと吸入されるため、光源２に長尺な蛍光灯を使用していても、蛍光灯の中央付近から両端付近までほぼ均一に周辺の空気を吸引することが可能になる。
【００２８】
また光源２には害虫が好む波長の誘引光を発生する蛍光灯を使用していることから、屋内に設置された照明器具に誘引されて屋内へ侵入した害虫も光源２へと誘引されて光源２付近に達すると、フード１ｃの開口部１ｂより吸入された空気とともに吸引手段４に吸引される。
そして吸引手段４により空気とともに吸引された害虫は、筒状ケース７ｂ内を通って捕虫袋１０内へと排出され、網体や不織布等により形成された捕虫袋１０に害虫のみが捕獲されると共に、空気は図４の矢印Ｄに示すように捕虫袋１０を通過した後、筐体１ａの底面に開口された排気口１ｆより屋内へ排出される。
【００２９】
一方捕虫袋１０に捕獲された害虫を廃棄処理する場合は、スイッチ手段８の引き紐８ｂを下方へ引いてスイッチ８ｃをオフにすると、光源２及び吸引手段４がオフになると同時に、スイッチ８ｃの作動片８ｅが上昇することにより引張りばね８ｈによりワイヤ８ｆが引き戻されるため、ワイヤ８ｆが捲装されたプーリ８ｇにより回転軸７ｅが回動されて、いままで開放状態にあったシャッタ７ｃがストッパ７ｈに当接するほぼ水平位置へ回動される。
これによって筒状ケース７ｂの上面開口がシャッタ７ｃにより閉鎖されるため、捕虫袋１０に捕獲された害虫の一部が生存していても、オフによって吸引を停止した吸引手段４側へ害虫が逃げ出すのをシャッタ７ｂが阻止するため、捕虫袋１０内に捕獲した害虫うち生存している害虫が捕虫袋１０より逃げ出すのを確実に防止することができる。
【００３０】
光源１０が消灯し吸引手段４が停止したら、筐体１ａ前面の扉１２を開放した後捕虫袋１０の開口部を手で絞りながら筒状ケース７ｂより捕虫袋１０を取り外し、係止手段１１により捕虫袋１０の開口部を閉じた状態で廃棄することにより、捕獲した害虫を逃がすことなく捕虫袋１０ごと廃棄処理することができる。
また捕虫袋１０を取り外す際捕虫袋１０より害虫の死骸の一部が落下しても、排気口１ｆに設けたフィルタ１４より捕捉することができるため、捕獲した害虫が本体１ａ外へ排出されることがない上、捕虫袋１０を交換する際フィルタ１４も同時に清掃することにより、常に清潔な状態を維持することができる。
【００３１】
以上は害虫捕獲器を壁掛け式として使用した場合であるが、図６に示すように本体１を載置台１７に載置して、据え置き式として使用するようにしてもよい。
本体１を載置する載置台１７は、本体１を床面等に安定して置けるように、上部に本体１の底部が上方より嵌合する嵌合部１７ａを有しており、前面及び後面の少なくとも一方に、筐体１ａ底部の排気口１ｆより排出された空気を載置台１７の外側へ排出する排出口１７ｂが切り欠き形成されている。
なお害虫捕獲器を図６に示すように据え置き式として使用した場合も、害虫捕獲時の作用は前記壁掛け式の場合と同様なので、その説明は省略する。
【図面の簡単な説明】
【００３２】
【図１】本発明の実施の形態になる害虫捕獲器の斜視図である。
【図２】本発明の実施の形態になる害虫捕獲器の一部を破断した斜視図である。
【図３】本発明の実施の形態になる害虫捕獲器の正面図である。
【図４】図３のＡ−Ａ線に沿う断面図である。
【図５】図３のＢ−Ｂ線に沿う断面図である。
【図６】本発明の実施の形態になる害虫捕獲器を据え置き型として使用した状態の斜視図である
【符号の説明】
【００３３】
１    本体
１ａ    筐体
１ｂ    開口部
１ｃ    フード
１ｆ    排気口
２    光源
３    ホッパ
３ａ    傾斜面
３ｄ    整流板
４    吸引手段
７    シャッタ手段
７ｂ    筒状ケース
７ｃ    シャッタ
８    スイッチ手段
１０    捕虫袋
１４    フィルタ
【図１】
2009022236.tif 000003
【図２】
2009022236.tif 000004
【図３】
2009022236.tif 000005
【図４】
2009022236.tif 000006
【図５】
2009022236.tif 000007
【図６】
2009022236.tif 000008